(57)【要約】【課題】  携帯端末機の着脱操作性が良く、装置本体に複数の端末装着凹部を設けても、装置全体をコンパクトに構成できる充電装置を提供する。【解決手段】  装置本体２に携帯端末機３がそれぞれ挿入して起立した状態で装着する２つの端末装着凹部４が平行に配列して設けられた充電装置１において、端末装着凹部４は、その上部に携帯端末機３の挿入側である下部側の外形よりも大きく形成された開口部１４と、この開口部１４の一側部から端末装着凹部４の底部側に向けて設けられて携帯端末機３の下部側を回転させながら底部側にガイドするガイド傾斜部１５と、端末装着凹部４の底部側に設けられて携帯端末機３の下部側が密接して挿入する密着保持部１６とを有する。従って、端末装着凹部４に対する携帯端末機３の着脱操作性が良く、装置本体２に複数の端末装着凹部４を配列させても、端末装着部凹部４の間隔を狭くでき、これにより装置全体をコンパクトに構成できる。【選択図】        図１
0003128228.tif 000002
【実用新案登録請求の範囲】
【請求項１】
装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有することを特徴とする充電装置。
【請求項２】
装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有し、
前記複数の端末装着凹部は、その配列方向に対し所定角度回転した状態で、それぞれ平行に配列されていることを特徴とする充電装置。
【請求項３】
装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有し、
前記複数の端末装着凹部は、その配列方向に対し所定角度回転した状態で、それぞれ平行に配列され、
前記端末装着凹部内の両側面のうち、少なくとも一方の側面には、前記携帯端末機の側面に弾接する弾性ガイド突起が設けられていることを特徴とする充電装置。
【請求項４】
装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有し、
前記複数の端末装着凹部は、その配列方向に対し所定角度回転した状態で、それぞれ平行に配列され、
前記端末装着凹部内の両側面のうち、少なくとも一方の側面には、前記携帯端末機の側面に弾接する弾性ガイド突起が設けられ、
前記端末装着凹部の内面には、前記携帯端末機の表面側に突出して設けられた操作部を避けて前記携帯端末機の前記表面をガイドするガイドリブが設けられていることを特徴とする充電装置。
【考案の詳細な説明】
【技術分野】
【０００１】
この考案は、携帯電話機などの携帯端末機を充電する充電装置に関し、さらに詳しくは複数の携帯端末機を一度に充電する集合型の充電装置に関する。
【背景技術】
【０００２】
従来、携帯電話機などの携帯端末機を充電する充電装置においては、装置本体に携帯端末機が挿入する端末装着凹部を設け、この端末装着凹部に携帯端末機を上方から挿入させて起立させ、この状態で携帯端末機を充電するように構成されたものがある。
このような充電装置では、装置本体に設けられた端末装着凹部の挿入口が携帯端末機の挿入側である下部側の外形とほぼ同じ大きさに形成されていると、携帯端末機を端末装着凹部に挿入しにくいという問題がある。
【０００３】
このような問題を解消するために、従来の充電装置においては、特許文献１に記載されているように、端末装着凹部の挿入口を広くして携帯端末機を挿入しやすくしたものが開発されている。すなわち、この種の充電装置は、携帯端末機をほぼ起立させた状態で端末装着凹部に挿入させた後、携帯端末機を後方に傾けて端末装着凹部内に安定させた状態で装着し、この状態で携帯端末機を充電するように構成されている。
【特許文献１】実開平０５−７６１４８号
【考案の開示】
【考案が解決しようとする課題】
【０００４】
しかしながら、このような従来の充電装置では、端末装着凹部の挿入口が広く形成されているので、携帯端末機をほぼ起立させた状態で端末装着凹部に容易に挿入することができても、この挿入した携帯端末機を後方に傾けて端末装着凹部内に安定させなければならない。このため、複数の携帯端末機を一度に充電する集合型の充電装置の場合には、装置本体に複数の端末装着凹部を配列させて設ける必要があるが、端末装着部凹部の間隔が狭いと、携帯端末機を後方に傾けたときに、隣接する携帯端末機同士が当接するので、端末装着凹部の間隔を十分に長くしなければならず、これにより装置全体が大型化するという問題がある。
【０００５】
この考案が解決しようとする課題は、携帯端末機の着脱操作性が良く、且つ装置本体に複数の端末装着凹部を配列させて設けても、装置全体をコンパクトに構成することができる充電装置を提供することである。
【課題を解決するための手段】
【０００６】
この考案は、上記課題を解決するために、次のような構成要素を備えている。
請求項１に記載の考案は、装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有することを特徴とする充電装置である。
【０００７】
請求項２に記載の考案は、装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有し、
前記複数の端末装着凹部は、その配列方向に対し所定角度回転した状態で、それぞれ平行に配列されていることを特徴とする充電装置である。
【０００８】
請求項３に記載の考案は、装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有し、
前記複数の端末装着凹部は、その配列方向に対し所定角度回転した状態で、それぞれ平行に配列され、
前記端末装着凹部内の両側面のうち、少なくとも一方の側面には、前記携帯端末機の側面に弾接する弾性ガイド突起が設けられていることを特徴とする充電装置である。
【０００９】
請求項４に記載の考案は、装置本体に、複数の携帯端末機がそれぞれ挿入して起立した状態で装着する複数の端末装着凹部が、平行に配列して設けられた充電装置において、
前記端末装着凹部は、その上部に前記携帯端末機の挿入側の外形よりも大きく形成された開口部と、この開口部の一側部から前記端末装着凹部の底部側に向けて設けられて前記携帯端末機の挿入側を回転させながら前記端末装着凹部の底部側にガイドするガイド傾斜部と、前記端末装着凹部の底部側に設けられて前記携帯端末機の挿入側が密接して挿入することにより前記装置本体に対し前記携帯端末機を起立させて保持する密着保持部とを有し、
前記複数の端末装着凹部は、その配列方向に対し所定角度回転した状態で、それぞれ平行に配列され、
前記端末装着凹部内の両側面のうち、少なくとも一方の側面には、前記携帯端末機の側面に弾接する弾性ガイド突起が設けられ、
前記端末装着凹部の内面には、前記携帯端末機の表面側に突出して設けられた操作部を避けて前記携帯端末機の前記表面をガイドするガイドリブが設けられていることを特徴とする充電装置である。
【考案の効果】
【００１０】
この考案によれば、装置本体に設けられた複数の端末装着凹部にそれぞれ携帯端末機を挿入する際、携帯端末機の挿入側を開口部に容易に挿入させることができると共に、この開口部に挿入された携帯端末機の挿入側をガイド傾斜部によって回転させながら底部側にガイドすることができるので、容易に且つ円滑に携帯端末機の挿入側を密着保持部内に挿入することができる。これにより、携帯端末機の挿入側が密着保持部内に密接して挿入するので、携帯端末機を密着保持部で起立させて確実に保持することができる。
【００１１】
このため、端末装着凹部に対する携帯端末機の着脱操作性が良く、また装置本体に複数の端末装着凹部を互いに平行に配列させて設ける場合に、端末装着部凹部の間隔を狭くしても、隣接する携帯端末機同士が接触することがないので、端末装着部凹部の間隔を狭くすることができ、これにより装置全体をコンパクトに構成することができる。
【考案を実施するための最良の形態】
【００１２】
（実施形態１）
以下、図１〜図１５を参照して、この考案を適用した充電装置の実施形態１について説明する。
図１はこの考案の充電装置に携帯端末機を装着した状態の斜視図、図２は図１の携帯端末機を正面側から見た斜視図、図３は携帯端末機を裏面側から見た斜視図、図４は図１の充電装置の斜視図である。
この充電装置１は、図１に示すように、装置本体２に２つの携帯端末機３がそれぞれ挿入して起立した状態で装着する２つの端末装着凹部４が平行に配列して設けられた構成になっている。
【００１３】
携帯端末機３は、図２および図３に示すように、平板状の箱形状に形成された機器本体５と、この機器本体５の表面５ａ（図２では表面）におけるほぼ上側半分に設けられた表示部６と、機器本体５の表面５ａにおけるほぼ下半分に設けられた入力操作部７と、表示部６の上側に位置する機器本体５の表面５ａに設けられた発光部８と、機器本体５内における下部側に設けられて機器本体５の裏面５ｂ側（図３では表面側）が開閉可能に塞がれた充電部９と、機器本体５の下面５ｃに設けられた充電端子１０とを備えている。
【００１４】
この場合、機器本体５は、ＡＢＳ樹脂（アクリロニトリル・ブタジエン・スチレン樹脂）や、ポリカーボネートなどの合成樹脂でも良いが、ＡＢＳ樹脂とポリカーボネートを複合した耐衝撃性の高い合成樹脂であることが好ましく、図２に示すように、全体が厚みの薄いほぼ長方形の箱形状に形成されている。表示部６は、液晶表示素子、ＥＬ（エレクトロルミネッセンス）表示素子、電子ペーパーなどの平面型の表示素子からなり、各種の情報を電気光学的に表示するように構成されている。入力操作部７は、図２に示すように、テンキーやファンクションキー、カーソルキーなどの各種のキー７ａが縦横に配列された構成になっている。
【００１５】
また、発光部８は、発光素子（ＬＥＤ：発光ダイオード）からなり、充電部９が充電中のときに赤色で発光し、充電が完了したときに緑色で発光するように構成されている。充電部９は、図２および図３に示すように、機器本体５内に収納される充電池１１を備え、この充電池１１が機器本体５の裏面５ｂに着脱可能に取り付けられた電池蓋１２によって覆われるように構成されている。この場合、電池蓋１２は、充電池１１を覆うほぼ平板状で、その横幅が機器本体５の横幅とほぼ同じ大きさに形成され、これにより機器本体５の裏面５ｂに板厚の分だけ突出した状態で取り付けられている。
【００１６】
一方、充電装置１の装置本体２は、図１および図４に示すように、全体が横長の角柱形状に形成されている。この装置本体２には、２つの携帯端末機３がそれぞれ挿入して起立した状態で装着する２つの端末装着凹部４が、互いに平行な状態で配列して設けられている。この端末装着凹部４は、その横断面が携帯端末機３の充電部９に対応する箇所の横断面形状とほぼ同じ大きさの長方形状をなす凹部である。この２つの端末装着凹部４は、図５に示すように、その配列方向に対し所定角度回転した状態、すなわち端末装着凹部４の横断面形状であるほぼ長方形がその配列方向である装置本体２の前後辺（図５では上下辺）に対し所定角度、例えば約６０°回転した状態で、互いに平行に配列されて設けられている。
【００１７】
この端末装着凹部４の上部は、図４および図５に示すように、携帯端末機３の挿入側である下部側の外形よりも十分に大きく形成されたほぼ長方形状の開口部１４が設けられている。すなわち、この開口部１４は、携帯端末機３の機器本体５の表面５ａおよび裏面５ｂに対応する部分の間隔が十分に広く形成され、機器本体５の両側面５ｄに対応する部分の間隔が少し大きく形成されている。また、この端末装着凹部４には、その上部における開口部１４の一側部、つまり図４および図５において装置本体２の手前側に位置する開口部１４の側部から端末装着凹部４の底部側に向けて携帯端末機３の下部側を回転させながらガイドするガイド傾斜部１５が設けられている。
【００１８】
すなわち、このガイド傾斜部１５は、図４および図５に示すように、その上部側が開口部１４の左手前側、つまり携帯端末機３の機器本体５の表面５ａに対応する左手前側に、機器本体５の下部における左手前側の隅部に対応するほぼ三角形状に食い込み、このほぼ三角形状に食い込んだ上部から底部側に向けて傾斜すると共に、ほぼ三角形状に食い込んだ上部から端末装着凹部４内の中心側に向けても傾斜するように形成されている。これにより、ガイド傾斜部１５は、開口部１４に挿入した携帯端末機３の下部を図１０において反時計回りに回転させながら端末装着凹部４の底部側に向けてガイドするように構成されている。
【００１９】
さらに、この端末装着凹部４の底部側には、図４および図５に示すように、携帯端末機３の下部側が密接して挿入することにより、図１に示すように、装置本体２に対し携帯端末機３をほぼ垂直に起立させて保持する密着保持部１６が設けられている。この密着保持部１６は、その横断面が携帯端末機３の横断面形状とほぼ同じ大きさの長方形状をなす凹部状に形成されている。また、この密着保持部１６は、図５に示すように、２つの端末装着凹部４の配列方向に対し所定角度回転した状態、つまり密着保持部１６の横断面形状である長方形が、端末装着凹部４の配列方向である装置本体２の前後辺（図５では上下辺）に対し所定角度、例えば約６０°回転した状態で設けられている。これにより、携帯端末機３は、図１に示すように、装置本体２の前後辺つまり端末装着凹部４の配列方向に対し所定角度回転した状態で起立して保持される。
【００２０】
この場合、密着保持部１６の底部には、図５および図６に示すように、給電端子１７が携帯端末機３の充電端子１０に対応して設けられている。この給電端子１７は、装置本体２の下側内部に配置された回路基板１３上に設けられ、密着保持部１６の底部から密着保持部１６の内部に向けて出没可能に突出し、携帯端末機３が密着保持部１６内に装着したときに、携帯端末機３の機器本体５の下面５ｃに設けられた充電端子１０が接触した状態で押し下げられるようにように構成されている。また、この密着保持部１６の右側の内面、つまり携帯端末機３の機器本体５の裏面５ｂに対応する右側の内面には、図５に示すように、携帯端末機３が密着保持部１６内に装着するときに、機器本体５の裏面５ｂに取り付けられた充電蓋１２が挿入する蓋挿入凹部１６ａが設けられている。
【００２１】
また、端末装着凹部４内における長手方向の対向面には、図５、図６および図１１に示すように、携帯端末機３の機器本体５の両側面５ｄにそれぞれ弾接する弾性ガイド突起１８が設けられている。この弾性ガイド突起１８は、機器本体５の側面５ｄに接触するガイド部１８ａと、このガイド部１８ａを端末装着凹部４内に向けて押し出すためのコイルばねや板ばねなどのばね部材１８ｂとからなり、端末装着凹部４内に挿入された携帯端末機３の下部を底部側の密着保持部１６に対応させるように、弾力的に保持しながらガイドするように構成されている。この場合、機器本体５の両側面５ｄには、図２および図３に示すように、断面円弧状のガイド溝５ｅが上下方向に設けられていることが望ましい。
【００２２】
さらに、端末装着凹部４における左側の内面、つまり携帯端末機３の機器本体５の表面５ａに対応する左側の内面には、図７および図８に示すように、ガイド板１９が設けられている。このガイド板１９は、ポリアセタールなどの滑り性を有する合成樹脂からなっている。このガイド板１９には、機器本体５の入力操作部７を避けて機器本体５の表面５ａをガイドする一対のガイドリブ２０が一体に設けられている。この一対のガイドリブ２０は、携帯端末機３の入力操作部７の両側部に位置する機器本体５の表面５ａに接触し、この状態で機器本体５を上下方向に滑らかに移動させるためのものである。
【００２３】
すなわち、このガイドリブ２０は、図７および図８に示すように、その上部が緩やかに湾曲する曲面に形成され、下部側がほぼ垂直に形成されていると共に、その突出長さが入力操作部７の各キー７ａの高さよりも少し長く突出して形成されている。これにより、ガイドリブ２０は、図１２（ａ）に示すように、端末装着凹部４に上方から携帯端末機２を挿入する際、図１２（ｂ）に示すように、携帯端末機３の入力操作部７の各キー７ａが端末装着凹部４内のガイド板１９の内面に接触せず、携帯端末機３の入力操作部７の両側部に位置する機器本体５の表面５ａのみに接触して、携帯端末機３が端末装着凹部４内を上下方向に滑らかに移動するように構成されている。
【００２４】
ところで、装置本体２の長手方向における一方の外面（図４では左側の外面）には、図１および図４に示すように、外部電源と電気的に接続される電源接続部２１および雄コネクタ部２２が設けられており、他方の外面（図４では右側の外面）には、雌コネクタ部２３が雄コネクタ部２２と対応して設けられている。これにより、図１５に示すように、１つの装置本体２の雌コネクタ部２３に他の装置本体２の雄コネクタ部２２を刺し込むことにより、２つの装置本体２が電気的に接続されて連結される。これにより、装置本体２を順次連結することにより、３つ以上の装置本体２を順次連結して電気的に接続することができる。この状態では、最端部（図１５では左端部）の装置本体２の電源接続部２１を外部電源と接続することにより、順次連結された全ての装置本体２に電力を供給することができる。
【００２５】
次に、このような充電装置１で携帯端末機３を充電する場合について説明する。
まず、装置本体２に設けられた２つの端末装着凹部４に携帯端末機３の挿入側である下部側をそれぞれ挿入する。このときには、図９に示すように、端末装着凹部４の上部に設けられた開口部１４に携帯端末機３の下部側を挿入させると、開口部１４の手前側の側部（図９では左側手前側部）から端末装着凹部４の底部側に向けて設けられたガイド傾斜部１５によって、開口部１４に挿入された携帯端末機３の下部側が図１０において反時計回りに回転しながら底部側の密着保持部１６にガイドされる。このときには、図１１に示すように、端末装着凹部４の両側面にそれぞれ設けられた弾性ガイド突起１８によって、携帯端末機３の機器本体５の両側面５ｄが弾力的に保持されながら、携帯端末機３の下部側が底部側の密着保持部１６に対応するようにガイドされる。
【００２６】
また、このときには、図１２および図１３に示すように、端末装着凹部４の内面つまり携帯端末機３の機器本体５の表面５ａに対応する端末装着凹部４の内面に設けられたガイドリブ２０に、携帯端末機３の入力操作部７の両側部に位置する機器本体５の表面５ａが接触し、この状態で携帯端末機３の入力操作部７の各キーが端末装着凹部４の内面に接触することなく、機器本体５がガイドリブ２０によって下方に向けて円滑に移動する。これにより、携帯端末機３の下部側が密着保持部１３内に挿入し、この密着保持部１６によって携帯端末機３が端末装着凹部４の配列方向に対し所定角度回転した状態で、図１に示すように、装置本体２に起立して保持される。これにより、携帯端末機３の機器本体５の下面５ｃに設けられた充電端子１０が、密着保持部１６の底部に設けられた給電端子１７に接触して電気的に接続されるので、複数の携帯端末機３を一度に充電することができる。
【００２７】
このように、この充電装置１によれば、装置本体２に互いに平行な状態で配列して設けられた２つの端末装着凹部４にそれぞれ携帯端末機３を挿入する際、端末装着凹部４の上部に設けられた開口部１４が携帯端末機３の挿入側である下部側の外形よりも大きく形成されているので、容易に開口部１４に携帯端末機３の下部側を挿入させることができると共に、この開口部１４の一側部（図９の左手前部）から端末装着凹部４の底部側に向けて設けられたガイド傾斜部１５によって、開口部１４に挿入された携帯端末機３の下部側を図１０において反時計回りに回転させながら端末装着凹部４の底部側にガイドすることができるので、容易に且つ円滑に携帯端末機３の下部側を密着保持部１６に挿入させることができる。
【００２８】
これにより、携帯端末機３の下部側が密着保持部１６内に密接して挿入するので、携帯端末機３を密着保持部１６によって確実に且つ良好に起立させて保持することができる。このため、端末装着凹部４に対する携帯端末機３の着脱操作性が良く、また装置本体２に２つの端末装着凹部４を互いに平行に配列させて設けた場合に、端末装着凹部４の間隔を狭くしても、隣接する携帯端末機３同士が接触することがないので、端末装着部凹部４の間隔を狭くすることができ、これにより装置全体をコンパクトに構成することができる。
【００２９】
この場合、２つの端末装着凹部４は、その配列方向に対し所定角度回転した状態で、それぞれ平行に配列されて設けられているので、携帯端末機３を端末装着凹部４の配列方向に対し所定角度回転させた状態で起立させることができる。このため、２つの端末装着凹部４にそれぞれ携帯端末機３を装着しても、図１３に示すように、隣接する携帯端末機３のうち、機器本体５の裏面５ｂ側（図１３では右側）に位置する携帯端末機３の表示部６を斜め側方から見る際、携帯端末機３が所定角度回転している分、表示部６の視認範囲を広くすることができる。これにより、複数の携帯端末機３の充電中においても、表示部６に表示された情報を見やすくすることができる。
【００３０】
また、この充電装置１によれば、端末装着凹部４内の両側面に、携帯端末機３の機器本体５の両側面５ｄにそれぞれ弾接する弾性ガイド突起１８が設けられているので、ガイド傾斜部１５によって携帯端末機３の下部側が回転しながら端末装着凹部４の底部側にガイドされるときに、弾性ガイド突起１８によって携帯端末機３の機器本体５の両側面５ｄを弾力的に保持することができると共に、携帯端末機３の下部側を端末装着凹部４の密着保持部１６に対応するようにガイドすることができ、これによっても携帯端末機３の着脱操作性を向上させることができる。
【００３１】
また、この充電装置１によれば、端末装着凹部４の内面に、携帯端末機３の入力操作部７を避けて携帯端末機３の機器本体５の表面５ａをガイドするガイドリブ２０が設けられていることにより、ガイド傾斜部１５によって携帯端末機３の下部側が回転しながら端末装着凹部４の底部側にガイドされるときに、携帯端末機３の入力操作部７の両側部に位置する機器本体５の表面５ａのみがガイドリブ２０に接触し、この状態で携帯端末機３が下側に移動するので、携帯端末機３の入力操作部７の各キー７ａが端末装着凹部４の内面に接触することがなく、携帯端末機３をガイドリブ２０によって下方に向けて円滑に且つ良好に移動させることができる。これにより、入力操作部７が不用意に操作されることがないばかりか、入力操作部７および機器本体５の表面５ａを傷付けないようにすることができる。
【００３２】
さらに、この充電装置１によれば、端末装着凹部４の底部側に設けられた密着保持部１６の内面に、携帯端末機３の機器本体５の裏面５ｂに取り付けられた充電蓋１２が挿入する蓋挿入凹部１６ａが設けられているので、端末装着凹部４に携帯端末機３を挿入するときに、携帯端末機３の表裏面を逆向きに挿入した場合には、図１４（ａ）に示すように、携帯端末機３の下部側が密着保持部１６に挿入するときに、充電蓋１２が密着保持部１６の蓋挿入凹部１６ａに挿入せず、図１４（ｂ）に示すように、ガイドリブ２０に当接するため、携帯端末機３の下部側が密着保持部１６に完全に挿入せず、携帯端末機３の下部が端末装着凹部４内の途中で止まってしまう。これにより、携帯端末機３の逆入れを防止することができる。
【００３３】
（実施形態２）
次に、図１６〜図２５を参照して、この考案を適用した充電装置の実施形態２について説明する。なお、図１〜図１５に示された実施形態１と同一部分には同一符号を付して説明する。
この充電装置３０は、携帯端末機３１の形状、および装置本体２に設けられた２つの端末装着凹部３２の形状が実施形態１と異なる構成であり、これ以外は実施形態１とほぼ同じ構成になっている。
【００３４】
すなわち、この携帯端末機３１は、図１７および図１８に示すように、機器本体５の裏面５ｂにおける下部側に設けられた充電部３３が実施形態１の充電部９よりも裏面５ｂ側に突出した構成で、これ以外は実施形態１と同じ構成になっている。この充電部３３は、図１８に示すように、機器本体５に収納される充電池３４が大容量のもので、機器本体５の裏面５ｂ側に突出して設けられ、これに伴って充電池３４を覆う電池蓋３５も機器本体５の裏面５ｂ側に大きく突出する形状に形成され、これにより電池蓋３５が機器本体５の裏面５ｂから大きく突出した状態で、機器本体５の裏面５ｂに着脱可能に取り付けられるように構成されている。
【００３５】
また、装置本体２の端末装着凹部３２は、図１９および図２０に示すように、その横断面が充電部３３に対応する箇所における携帯端末機３１の横断面形状とほぼ同じ大きさの長方形状をなす凹部である。この２つの端末装着凹部３２も、図２０に示すように、その配列方向に対して所定角度回転した状態、すなわち端末装着凹部３２の横断面であるほぼ長方形がその配列方向である装置本体２の前後辺（図２０では上下辺）に対し所定角度、例えば約６０°回転した状態で、互いに平行に配列されて設けられている。
【００３６】
この端末装着凹部３２の上部には、図１９および図２０に示すように、携帯端末機３１の挿入側である下部側の外形よりも大きく形成されたほぼ長方形状の開口部３７が設けられている。すなわち、この開口部３７は、携帯端末機３１の機器本体５の表面５ａおよび裏面５ｂに対応する部分の間隔が十分に広く形成され、機器本体５の両側面５ｄに対応する部分の間隔が少し大きく形成されている。また、この端末装着凹部３２には、その上部における開口部３７の一側部、つまり図１９および図２０において装置本体２の手前側に位置する開口部３７の側部から端末装着凹部３２の底部側に向けて携帯端末機３１の下部を回転させながらガイドするガイド傾斜部３８が設けられている。
【００３７】
このガイド傾斜部３８も、実施形態１と同様、その上部側が開口部３７の左手前側、つまり携帯端末機３１の機器本体５の表面５ａに対応する左手前側に、機器本体５の下部における左手前側の隅部に対応するほぼ三角形状に食い込み、このほぼ三角形状に食い込んだ上部から底部側に向けて傾斜すると共に、ほぼ三角形状に食い込んだ上部から端末装着凹部３２の中心側に向けても傾斜するように形成されている。これにより、ガイド傾斜部３８は、開口部３７に挿入した携帯端末機３１の下部を図２４において反時計回りに回転させながら端末装着凹部４の底部側に向けてガイドするように構成されている。
【００３８】
さらに、この端末装着凹部３２の底部側には、図１９に示すように、携帯端末機３１の下部が密接して挿入することにより、図１６に示すように、装置本体２に対し携帯端末機３１をほぼ垂直に起立させて保持する密着保持部３９が設けられている。この密着保持部３９は、その横断面が携帯端末機３１の充電部３３における箇所の横断面形状とほぼ同じ大きさの長方形状をなす凹部状に形成され、図２０に示すように、２つの端末装着凹部３２の配列方向に対し所定角度回転した状態、つまり密着保持部３９の横断面形状である長方形が、端末装着凹部３２の配列方向である装置本体２の前後辺に対し所定角度、例えば約６０°回転した状態で設けられている。これにより、携帯端末機３１は、実施形態１と同様、装置本体２の前後辺つまり端末装着凹部３２の配列方向に対し所定角度回転した状態で起立して保持される。
【００３９】
この場合、密着保持部３９の右側の内面、つまり携帯端末機３１の機器本体５の裏面５ｂに対応する右側の内面には、図２０〜図２２に示すように、機器本体５の裏面５ｂに取り付けられた充電蓋３５が挿入する蓋挿入凹部３９ａが、実施形態１の蓋挿入凹部１６ａよりも大きく設けられている。また、この密着保持部３９の底部には、実施形態１と同様、給電端子１７が携帯端末機３の充電端子１０に対応して設けられている。また、端末装着凹部３２内における長手方向の対向面には、実施形態１と同様、携帯端末機３１の機器本体５の両側面５ｄにそれぞれ弾接する弾性ガイド突起１８が設けられている。
【００４０】
さらに、端末装着凹部３２における左側の内面、つまり携帯端末機３１の機器本体５の表面５ａに対応する左側の内面にも、図２１および図２２に示すように、ガイド板１９が設けられており、このガイド板１９にも、実施形態１と同様、機器本体５の入力操作部７を避けて機器本体５の表面５ａをガイドする一対のガイドリブ２０が設けられている。なお、装置本体２の長手方向における一方の外面（図１９では左側の外面）には、図１９に示すように、外部電源と電気的に接続される電源接続部２１および雄コネクタ部２２が設けられており、他方の外面（図１９では右側の外面）には、雌コネクタ部２３が雄コネクタ部２２と対応して設けられている。
【００４１】
このような充電装置３０においても、図２５に示すように、２つの携帯端末機３１を装置本体２の各端末装着凹部３２に装着することができるので、実施形態１と同様の作用効果があるほか、特に携帯端末機３１の充電池３４を覆う電池蓋３５が、機器本体５の裏面５ｂに大きく突出した状態で取り付けられ、これに伴って密着保持部３９の右側の内面、つまり携帯端末機３１の機器本体５の裏面５ｂに対応する右側の内面に、携帯端末機３１の充電蓋３５が挿入する蓋挿入凹部３９ａが実施形態１の蓋挿入凹部１６ａよりも大きく設けられているので、端末装着凹部３２に携帯端末機３１を挿入するときに、携帯端末機３１の表裏を反転させた逆入れを確実に防止することができる。
【００４２】
なお、上記実施形態１、２の携帯端末機３、３１は、携帯電話機、ＰＤＡ（パーソナル・デジタル・アシスタント：携帯情報処理端末機）などの各種の携帯型の電子機器のことである。
また、上記実施形態１、２の充電装置１、３０では、装置本体２に２つの端末装着凹部４、３２を設けた場合について述べたが、これに限らず、装置本体２に３つの端末装着凹部４、３２を設けても良い。
【００４３】
さらに、上記実施形態１、２の充電装置１、３０では、装置本体２に設けられた端末装着凹部４、３２内の両側面にそれぞれ弾性ガイド突起１８を設けた場合について述べたが、必ずしも端末装着凹部４、３２内の両側面にそれぞれ弾性ガイド突起１８を設ける必要はなく、端末装着凹部４、３２内の両側面のうち、少なくとも一方の側面のみに弾性ガイド突起１８を設けた構成でも良い。このような構成でも、携帯端末機３、３１の機器本体５の両側面５ｄを弾力的に保持することができると共に、携帯端末機３、３１の下部側を端末装着凹部４、３２の密着保持部１６、３９に対応するようにガイドすることができ、これによっても携帯端末機３、３１の着脱操作性を向上させることができる。
【００４４】
なおまた、上記実施形態１、２の充電装置１、３０では、複数の携帯端末機３、３１を装置本体２の複数の端末装着凹部４、３２に装着して、一度に複数の携帯端末機３、３１を充電する場合について述べたが、これに限らず、装置本体２の雄コネクタ２２によって装置本体２をパーソナルコンピュータなどの情報処理装置に電気的に接続することにより、複数の携帯端末機３、３１を充電しながら、情報処理装置と複数の携帯端末機３、３１との間でデータの授受を行うこともできる。
【図面の簡単な説明】
【００４５】
【図１】この考案を適用した充電装置に携帯端末機を装着した状態の斜視図である。（実施形態１）
【図２】図１の携帯端末機を正面側から見た斜視図である。
【図３】図２の携帯端末機を裏面側から見た斜視図である。
【図４】図１の充電装置の装置本体を示した斜視図である。
【図５】図４の装置本体を上方から見た平面図である。
【図６】図５のＡ−Ａ矢視における拡大断面図である。
【図７】図５のＢ−Ｂ矢視における拡大断面図である。
【図８】図５のＣ−Ｃ矢視における拡大断面図である。
【図９】図４の装置本体の端末装着凹部に携帯端末機を挿入する状態を示した斜視図である。
【図１０】図９の状態における装置本体を上方から見た平面図である。
【図１１】図１の状態で弾性ガイド突起に位置する箇所における横断面を示した要部の拡大断面図である。
【図１２】図１０の装置本体の端末装着凹部に携帯端末機を装着する状態を示し、（ａ）は端末装着凹部に上方から携帯端末機を挿入する状態を示した要部の拡大断面図、（ｂ）は端末装着凹部の密着保持部に携帯端末機が挿入した状態を示した要部の拡大断面図である。
【図１３】図１０の装置本体の各端末装着凹部にそれぞれ携帯端末機が装着された状態を示した平面図である。
【図１４】図１０の装置本体の端末装着凹部に携帯端末機を逆向きで挿入する状態を示し、（ａ）は端末装着凹部に上方から携帯端末機を挿入する状態を示した要部の拡大断面図、（ｂ）は端末装着凹部の密着保持部に携帯端末機が浮き上がって挿入した状態を示した要部の拡大断面図である。
【図１５】図４の装置本体を順次連結した状態を示した斜視図である。
【図１６】この考案を適用した充電装置に携帯端末機を装着した状態の斜視図である。（実施形態２）
【図１７】図１６の携帯端末機を正面側から見た斜視図である。
【図１８】図１７の携帯端末機を裏面側から見た斜視図である。
【図１９】図１６の充電装置の装置本体を示した斜視図である。
【図２０】図１９の装置本体を上方から見た平面図である。
【図２１】図２０のＤ−Ｄ矢視における拡大断面図である。
【図２２】図２０のＥ−Ｅ矢視における拡大断面図である。
【図２３】図１９の装置本体の端末装着凹部に携帯端末機を挿入する状態を示した斜視図である。
【図２４】図２３の状態における装置本体を上方から見た平面図である。
【図２５】図２４の端末装着凹部の各端末装着凹部にそれぞれ携帯端末機が装着された状態を示した平面図である。
【符号の説明】
【００４６】
１、３０  充電装置
２  装置本体
３、３１  携帯端末機
４、３２  端末装着凹部
５  機器本体
５ａ  機器本体の表面
５ｂ  機器本体の裏面
５ｃ  機器本体の下面
５ｄ  機器本体の側面
６  表示部
７  入力操作部
９、３３  充電部
１０  充電端子
１１、３４  充電池
１２、３５  電池蓋
１４、３７  開口部
１５、３８  ガイド傾斜部
１６、３９  密着保持部
１７  給電端子
１８  弾性ガイド突起
２０  ガイドリブ
【図１】
0003128228.tif 000003
【図２】
0003128228.tif 000004
【図３】
0003128228.tif 000005
【図４】
0003128228.tif 000006
【図５】
0003128228.tif 000007
【図６】
0003128228.tif 000008
【図７】
0003128228.tif 000009
【図８】
0003128228.tif 000010
【図９】
0003128228.tif 000011
【図１０】
0003128228.tif 000012
【図１１】
0003128228.tif 000013
【図１２】
0003128228.tif 000014
【図１３】
0003128228.tif 000015
【図１４】
0003128228.tif 000016
【図１５】
0003128228.tif 000017
【図１６】
0003128228.tif 000018
【図１７】
0003128228.tif 000019
【図１８】
0003128228.tif 000020
【図１９】
0003128228.tif 000021
【図２０】
0003128228.tif 000022
【図２１】
0003128228.tif 000023
【図２２】
0003128228.tif 000024
【図２３】
0003128228.tif 000025
【図２４】
0003128228.tif 000026
【図２５】
0003128228.tif 000027